(57)【要約】【課題】バグフィルタへの外的衝撃が少なく、バグフィルタの寿命を延ばすことができるバグ式集塵機を提供すること。【解決手段】筐体２の内部を区画壁３により含塵空気導入室４と浄化空気室５とに区画し、区画壁３に多数のバグフィルタ７を取り付け、浄化空気室５を吸引装置Ｆに接続したバグ式集塵機１において、バグフィルタ７の開口端７ａに対向して、洗浄空気供給管８に接続した洗浄用の高圧空気噴出口９を形成するとともに、洗浄空気供給管９に高圧空気を供給するブロアＢを接続し、高圧空気噴出口９から噴出される高圧空気によってバグフィルタ７を洗浄する際に、バグフィルタ７内に流れる吸引装置Ｆによって生じる濾過気流を遮断する遮断機構１０を配設する。【選択図】図１
2008279361.tif 000002
【特許請求の範囲】
【請求項１】
筐体の内部を区画壁により含塵空気導入室と浄化空気室とに区画し、前記区画壁に多数のバグフィルタを取り付け、浄化空気室を吸引装置に接続したバグ式集塵機において、前記バグフィルタの開口端に対向して、洗浄空気供給管に接続した洗浄用の高圧空気噴出口を形成するとともに、前記洗浄空気供給管に高圧空気を供給するブロアを接続し、前記高圧空気噴出口から噴出される高圧空気によってバグフィルタを洗浄する際に、バグフィルタ内に流れる前記吸引装置によって生じる濾過気流を遮断する遮断機構を配設したことを特徴とするバグ式集塵機。
【請求項２】
遮断機構を、浄化空気室を洗浄空気供給管単位で区画する区画壁と、該区画壁によって区画された単位浄化空気室と吸引装置とを連結する配管に配設するダンパとから構成したことを特徴とする請求項１記載のバグ式集塵機。
【請求項３】
遮断機構を、バグフィルタの開口端を覆うことができるとともに、高圧空気噴出口から噴出される高圧空気の通過を許容する開口部を形成した蓋部材と、高圧空気噴出口と蓋部材との間の空間をその周囲から遮断する筒状の気流遮断部材とから構成したことを特徴とする請求項１記載のバグ式集塵機。
【発明の詳細な説明】
【技術分野】
【０００１】
本発明は、バグ式集塵機に関し、特に、バグフィルタの洗浄機構の改良に関するものである。
【背景技術】
【０００２】
一般に家庭用ごみ等を焼却するごみ焼却炉から排出する排ガス中には、ダストと共に、ＨＣｌ、ＮＯｘ、ＳＯｘ等の有害ガスを含んでいるため、ダストの捕集に合わせてこれらの有害ガスを処理することが望まれている。
このため１つの手段として、中和剤としての消石灰をバグ式集塵機のバグフィルタに予め供給することによって、バグフィルタの表面に反応層を形成しておき、次いでごみ焼却炉から発生する含塵空気を冷却した後、これに消石灰の適量（例えば、ＨＣｌに対し２〜３倍の当量比）を連続して供給し、中和する運転方法が採られている。
そして、バグフィルタにダストが多量に付着し、通気抵抗（圧損）が所定値以上に上昇したときは、上記反応層を残存してダストを払い落とすべく洗浄条件を選定して通常０．１〜０．６ＭＰａ程度の圧縮空気をバグフィルタ内に噴出して洗浄（逆洗）を行う手段が採られている。
【０００３】
ところで、これに用いるバグ式集塵機は、例えば、図６に示すように、バグ式集塵機４０を構成する筐体２の内部を区画壁３により上下に区画し、下部を含塵空気導入室４、上部を浄化空気室５とし、含塵空気導入室４を塵埃発生源（図示省略）に接続し、浄化空気室５を、配管６を介して、吸引装置Ｆに接続するようにされている（例えば、特許文献１参照）。
上記区画壁３には多数の有底筒状のバグフィルタ７を垂下して取り付け、各バグフィルタ７は各列毎にそれぞれ洗浄空気供給用の洗浄空気供給管８を配備し、圧縮空気噴出ノズル９’をバグフィルタ７の開口端に臨ませて取り付けるようにしている。
この洗浄空気供給管８は、常時は、ダイヤフラムバルブ４１によって閉鎖された状態で、圧縮空気供給管４２に接続されている。
【０００４】
これにより、常時は、吸引装置Ｆの吸引力によりダスト発生源からのダストを含んだ空気は含塵空気導入室４に導かれ、バグフィルタ７の外部から内部側に流入し濾過されて浄化空気となり浄化空気室５を通過し配管６を介して排出される。
次いでバグフィルタ７の外周面にダストが付着し、通気抵抗が所定値に到達したことを圧力測定器（図示省略）によって検知したとき又は一定時間経過後に、電磁弁ボックス４３内の電磁弁を開放することによって、気抜管４１ａを介してダイヤフラムバルブ４１を作動させ、圧縮空気供給管４２内の圧縮空気を洗浄空気供給管８に導出し、洗浄空気供給管８の各列毎に配設した圧縮空気噴出ノズル９’からバグフィルタ７内に洗浄用の圧縮空気を噴出し、バグフィルタ７の外周面に付着したダストを吹き落とすようにしている。
【０００５】
ところで、このバグ式集塵機４０において、バグフィルタ７を洗浄する際に、バグフィルタ７の内部に吸引装置Ｆによる濾過気流が生じている状態で、バグフィルタ７内に圧縮空気を噴出するようにすると、濾過気流の圧力に打ち勝つための高圧の圧縮空気が必要となるだけでなく、圧縮空気の洗浄作用が濾過気流によって相殺されるため、洗浄効率が低下するという問題があった。
また、バグフィルタ７は、圧縮空気噴出ノズル９’から噴出される圧縮空気による膨張と吸引装置Ｆによって生じる濾過気流による伸縮が繰り返されることによって、バグフィルタ７の形状を保つためのケージ（図示省略）と擦れ、摩耗による破損が生じやすいという問題があった。そして、破損したバグフィルタ７は早急に交換又は補修する必要があり、交換又は補修に多大な労力と費用がかかるものとなっていた。
【特許文献１】特開２００４−３５１３２３号公報
【発明の開示】
【発明が解決しようとする課題】
【０００６】
本発明は、上記従来のバグ式集塵機の有する問題点に鑑み、バグフィルタへの外的衝撃が少なく、バグフィルタの寿命を延ばすことができるバグ式集塵機を提供することを目的とする。
【課題を解決するための手段】
【０００７】
上記目的を達成するため、本発明のバグ式集塵機は、筐体の内部を区画壁により含塵空気導入室と浄化空気室とに区画し、前記区画壁に多数のバグフィルタを取り付け、浄化空気室を吸引装置に接続したバグ式集塵機において、前記バグフィルタの開口端に対向して、洗浄空気供給管に接続した洗浄用の高圧空気噴出口を形成するとともに、前記洗浄空気供給管に高圧空気を供給するブロアを接続し、前記高圧空気噴出口から噴出される高圧空気によってバグフィルタを洗浄する際に、バグフィルタ内に流れる前記吸引装置によって生じる濾過気流を遮断する遮断機構を配設したことを特徴とする。
【０００８】
この場合において、遮断機構を、浄化空気室を洗浄空気供給管単位で区画する区画壁と、該区画壁によって区画された単位浄化空気室と吸引装置とを連結する配管に配設するダンパとから構成することができる。
【０００９】
また、遮断機構を、バグフィルタの開口端を覆うことができるとともに、高圧空気噴出口から噴出される高圧空気の通過を許容する開口部を形成した蓋部材と、高圧空気噴出口と蓋部材との間の空間をその周囲から遮断する筒状の気流遮断部材とから構成することができる。
【発明の効果】
【００１０】
本発明のバグ式集塵機によれば、バグフィルタの開口端に対向して、洗浄空気供給管に接続した洗浄用の高圧空気噴出口を形成するとともに、前記洗浄空気供給管に高圧空気を供給するブロアを接続し、前記高圧空気噴出口から噴出される高圧空気によってバグフィルタを洗浄する際に、バグフィルタ内に流れる前記吸引装置によって生じる濾過気流を遮断する遮断機構を配設することにより、濾過気流を遮断した状態でブロアから高圧空気をバグフィルタに吹き込むことによって、圧縮空気の洗浄作用が濾過気流によって相殺されることによる洗浄効率の低下を防ぐことができるとともに、バグフィルタには圧縮空気を噴出するときのような外的な衝撃が加わることがなく、摩耗によるバグフィルタの損傷を大幅に低減することができる。
また、圧縮空気を噴出するために必要であった空気圧縮機や洗浄空気供給管単位で必要であったダイヤフラムバルブが不要となり、比較的安価なブロアによって洗浄空気供給機構を構成することができ、装置全体のコストダウンを計ることができる。
【００１１】
また、遮断機構を、浄化空気室を洗浄空気供給管単位で区画する区画壁と、該区画壁によって区画された単位浄化空気室と吸引装置とを連結する配管に配設するダンパとから構成することにより、ダンパの開閉によって容易にバグフィルタ内に流れる吸引装置によって生じる濾過気流を遮断することができる。
【００１２】
また、遮断機構を、バグフィルタの開口端を覆うことができるとともに、高圧空気噴出口から噴出される高圧空気の通過を許容する開口部を形成した蓋部材と、高圧空気噴出口と蓋部材との間の空間をその周囲から遮断する筒状の気流遮断部材とから構成することにより、蓋部材でバグフィルタの開口端を覆うことによって、筒状の気流遮断部材により高圧空気噴出口と蓋部材との間の空間をその周囲から遮断（ラインオフ）し、バグフィルタ内に流れる吸引装置によって生じる濾過気流を遮断することができる。そして、このラインオフは、洗浄空気供給管単位で行うことができるので、設備全体が大型化することのないバグ式集塵機を提供することができる。
【発明を実施するための最良の形態】
【００１３】
以下、本発明のバグ式集塵機の実施の形態を、図面に基づいて説明する。なお、従来装置と同様の構造については同一の符号、一連の符号を付し説明を省略する。
【実施例１】
【００１４】
図１〜図２に、本発明のバグ式集塵機の第１実施例を示す。
【００１５】
本発明のバグ式集塵機１は、従来装置と同様、筐体２の内部を区画壁３により上下に区画し、下部を含塵空気導入室４、上部を浄化空気室５とし、含塵空気導入室４は塵埃発生源（図示省略）に接続し浄化空気室５は、配管６を介して、吸引装置Ｆに接続されている。上記区画壁３には多数の有底筒状のバグフィルタ７を垂下して取り付け、各バグフィルタ７は各列毎にそれぞれ洗浄空気供給用の洗浄空気供給管８を配備し、それぞれバグフィルタ７に対し高圧空気噴出口９をバグフィルタ７の開口端に臨ませて取り付けるようにしている。
【００１６】
そして、洗浄空気供給管８に高圧空気を供給するブロアＢを備え、高圧空気噴出口９から噴出される高圧空気によってバグフィルタ７を洗浄する際に、バグフィルタ７内に流れる前記吸引装置Ｆによって生じる濾過気流を遮断する遮断機構１０を配設するようにしている。
【００１７】
この場合において、ブロアＢには、１００ｋＰａ程度の高圧空気を発生させることができる高性能のブロアを用いるようにする。
このブロアＢは、バグ式集塵機１に対して、１基配設し、切換弁やダンパ（図示省略）によって、圧力空気を選択的に洗浄空気供給管８に供給するほか、各洗浄空気供給管８について１基ずつ配設することもできる。
【００１８】
遮断機構１０は、浄化空気室５を洗浄空気供給管８単位で区画する区画壁１１と、この区画壁１１によって区画された単位浄化空気室５ａ、５ｂ・・・５ｉと吸引装置Ｆとを連結する配管６に配設するダンパ１２とから構成することができる。
【００１９】
この場合、図２に示すように、例えば、洗浄空気供給管８が９本のバグ式集塵機１において、区画壁１１を各洗浄空気供給管８の間の８個所に配設し、浄化空気室５を単位浄化空気室５ａ、５ｂ・・・５ｉとなるように９室に区分するほか、例えば、洗浄空気供給管８を３本単位として３室に区分することもできる。
【００２０】
しかして、バグフィルタ７の外周面にダストが付着し、通気抵抗が所定値に到達したことを圧力測定器（図示省略）によって検知したとき又は一定時間経過後にバグフィルタ７の洗浄を行うときは、図２に示すように、単位浄化空気室５ａと吸引装置Ｆを連結する配管６に配設したダンパ１２を閉鎖することによって、バグフィルタ７内に流れる吸引装置Ｆによって生じる濾過気流を遮断する。
そして、ブロアＢからの高圧空気を洗浄空気供給管８に供給し、高圧空気噴出口９から高圧空気をバグフィルタ７内に噴出し、バグフィルタ７の外周面に付着したダストを吹き落とす。
その後、ブロアＢからの高圧空気の供給を止め、単位浄化空気室５ａと吸引装置Ｆを連結する配管６に配設したダンパ１２を開放し、単位浄化空気室５ａのバグフィルタ７内に、吸引装置Ｆによって生じる濾過気流を発生させ、吸引装置Ｆの吸引力によりダスト発生源からのダストを含んだ空気は含塵空気導入室４に導かれ、バグフィルタ７の外部から内部側に流入し濾過されて浄化空気室５を通過し配管６を介して排出する。
【００２１】
そして、同様の要領で、単位浄化空気室５ｂ〜５ｉのバグフィルタ７を洗浄し、通常運転に復帰する。
【実施例２】
【００２２】
図３〜図４に、本発明のバグ式集塵機の第２実施例を示す。
【００２３】
このバグ式集塵機１は、遮断機構２０として、バグフィルタ７の開口端７ａを覆うことができるとともに、高圧空気噴出口９から噴出される高圧空気の通過を許容する開口部２１ａを形成した蓋部材２１と、高圧空気噴出口９と蓋部材２１との間の空間をその周囲から遮断する筒状の気流遮断部材２２とから構成するようにしている。
【００２４】
蓋部材２１は、図３〜図４に示すように、バグフィルタ７の開口端７ａの開口面積よりも大きな板状（円盤状）の部材からなり、その中央付近にバグフィルタ７の開口端７ａを閉鎖した状態で、高圧空気噴出口９から噴出される高圧空気をバグフィルタ７内に導入する際の流路となる開口部２１ａを形成するようにしている。
【００２５】
気流遮断部材２２は、高圧空気噴出口９と蓋部材２１との間の空間をその周囲から遮断するためのもので、本実施例においては、上端を高圧空気噴出口９を覆うようにして洗浄空気供給管８に取り付けるとともに、下端を蓋部材２１の上面に取り付けるようにしている。
この気流遮断部材２２には、蛇腹構造の円筒部材を使用するようにしている。
そして、この気流遮断部材２２は、待機時（含塵空気の濾過を行っているとき）には、縮んだ状態となってバグフィルタ７の開口端７ａから離間した上昇位置で蓋部材２１に接続され、一方、洗浄時には、伸びた状態となってバグフィルタ７の開口端７ａを覆う下降位置で蓋部材２１に接続されるようにしている。
【００２６】
しかして、バグフィルタ７の洗浄に際しては、ブロアＢを作動し、洗浄の対象となるバグフィルタ７上の洗浄空気供給管８に高圧空気を供給し、高圧空気噴出口９から噴出される高圧空気を蓋部材２１の受圧面２１ｂが受け、図４（ｂ）に示すように、気流遮断部材２２が伸び、バグフィルタ７の開口端７ａを蓋部材２１の下面２１ｃで閉鎖することによって、バグフィルタ７内に流れる吸引装置Ｆによって生じる濾過気流を遮断し、高圧空気を蓋部材２１の開口部２１ａを介して、バグフィルタ７内に噴出し、バグフィルタ７の外周面に付着したダストを吹き落とすようにする。
【００２７】
また、気流遮断部材２２の伸縮力が十分でない場合には、図４に示すように、バネ等からなる弾性部材２３を洗浄空気供給管８と蓋部材２１の間に付設するようにしてもよい。
【００２８】
さらに、蓋部材２１を上下方向に移動させる気流遮断部材２２の伸縮力を補うために、図５に示すように、移動機構３０を配設するようにしてもよい。
【００２９】
この移動機構３０は、蓋部材２１をバグフィルタ７の開口端７ａに当接と離間を行うことができる構成であれば、特に限定されるものではなく、例えば、図５に示すように、リンク３１と連動杆３２とからなるリンク機構を利用したり、カム機構を利用したり、さらには、各蓋部材２１にシリンダ等の駆動機構を配設して構成することもできる。
【００３０】
ここで、図５に示した移動機構３０は、リンク３１の剛体部となる支軸３１ａを洗浄空気供給管８から延設した取付部（図示省略）に回動自在に取り付け、リンク３１の作用点となる一端に蓋部材２１を押圧するための押圧部材３１ｃを取り付け、力点となる他端３１ｂに連動杆３２を連結するようにしている。
【００３１】
押圧部材３１ｃは、ベアリング等の回動部材とし、その中心軸を延設して、蓋部材２１の上面に配設したガイド部材３３の長穴に、延設した中心軸を嵌め、蓋部材２１を持ち上げる際のガイドとなるようにしている。
【００３２】
また、ガイド部材３３を配設することに代えて、図４に示すように、弾性部材２３を配設するようにしてもよい。
【００３３】
しかして、バグフィルタ７の洗浄に際しては、支軸３１ａを支点として連動杆３２を図例左側に移動し、リンク機構を作動させて、蓋部材２１を下方向に移動させ、バグフィルタ７の開口端７ａを閉鎖することによって、バグフィルタ７内に流れる吸引装置Ｆによって生じる濾過気流を遮断する。
次いで、ブロアＢを作動し、高圧空気噴出口９から噴出される高圧空気を蓋部材２１の開口部２１ａを介して、バグフィルタ７内に噴出し、バグフィルタ７の外周面に付着したダストを吹き落とすようにする。
【００３４】
なお、本実施例のその他の構成及び作用は、上記第１実施例と同様である。
【００３５】
ところで、上記第２実施例において、気流遮断部材２２を配設することなく、遮断機構としての蓋部材２１を高圧空気噴出口９に直接配設するとともに、洗浄空気供給管８全体を上下方向に移動可能に構成し、バグフィルタ７の洗浄に際しては、洗浄空気供給管８全体を下方に移動させてバグフィルタ７の開口端７ａを蓋部材２１の下面２１ｃで閉鎖するように構成してもよい。
【００３６】
以上、本発明のバグ式集塵機について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３７】
本発明のバグ式集塵機は、バグフィルタの洗浄に際して、バグフィルタへの外的衝撃が少なく、バグフィルタの寿命を延ばすことができるという特性を有していることから、バグフィルタの取り付け本数が多く、バグフィルタの交換や補修に多大な労力と費用がかかるバグ式集塵機に好適に用いることができる。
【図面の簡単な説明】
【００３８】
【図１】本発明のバグ式集塵機の第１実施例を示す一部断面の正面拡大図である。
【図２】図１におけるＸ−Ｘ断面図である。
【図３】本発明のバグ式集塵機の第２実施例を示す一部断面の正面拡大図である。
【図４】第２実施例に使用する遮断機構を示し、（ａ）は遮断前の正面拡大図、（ｂ）は遮断時の正面拡大図である。
【図５】遮断機構の変形例を示し、（ａ）は遮断前の正面拡大図、（ｂ）は遮断時の正面拡大図である。
【図６】従来のバグ式集塵機の一部断面の正面図である。
【符号の説明】
【００３９】
１    バグ式集塵機
２    筐体
３    区画壁
４    含塵空気導入室
５    浄化空気室
６    配管
７    バグフィルタ
８    洗浄空気供給管
９    高圧空気噴出口
１０  遮断機構
１１  区画壁
１２  ダンパ
２０  遮断機構
２１  蓋部材
２１ａ  開口部
２２  気流遮断部材
Ｂ    ブロア
Ｆ    吸引装置
【図１】
2008279361.tif 000003
【図２】
2008279361.tif 000004
【図３】
2008279361.tif 000005
【図４】
2008279361.tif 000006
【図５】
2008279361.tif 000007
【図６】
2008279361.tif 000008